【手続補正書】
【提出日】平成17年5月9日(2005.5.9)
【手続補正１】
【補正対象書類名】明細書
【補正対象項目名】発明の名称
【補正方法】変更
【補正の内容】
【発明の名称】コンピュータ端末およびその制御方法およびその制御を実行するプログラムを記憶した記憶媒体
【手続補正２】
【補正対象書類名】明細書
【補正対象項目名】特許請求の範囲
【補正方法】変更
【補正の内容】
【特許請求の範囲】
【請求項１】
ネットワークを介してデータの授受を行なうコンピュータ端末において、
任意のデータをネットワーク上の第１のコンピュータ端末に対して出力する出力手段と、
前記出力手段によって出力されたデータに対する応答が前記第１のコンピュータ端末から得られなかった場合、第２のコンピュータ端末に対して前記データの出力の代行を要求する要求手段とを備えることを特徴とするコンピュータ端末。
【請求項２】
請求項１において、さらに、前記要求手段によって前記データの出力の代行を要求してからの時間を計時する計時手段とを備え、
前記要求手段は、前記計時手段によって計時された時間が所定時間が経過するまでの間に前記第１のコンピュータ端末からの応答が得られなかった場合、前記第２のコンピュータ端末とは異なるコンピュータ端末に対して前記データの出力の代行を要求するように構成されていることを特徴とするコンピュータ端末。
【請求項３】
請求項１または請求項２において、出力元のコンピュータ端末に対して応答するために、前記データは、出力元のコンピュータ端末を示すデータを含むことを特徴とするコンピュータ端末。
【請求項４】
ネットワークを介してデータの授受を行なうコンピュータ端末の制御方法において、
任意のデータをネットワーク上の第１のコンピュータ端末に対して出力する出力ステップと、
前記出力ステップにおいて出力されたデータに対する応答が前記第２のコンピュータ端末から得られなかった場合、第２のコンピュータ端末に対して前記データの出力の代行を要求する要求ステップとを有することを特徴とするコンピュータ端末の制御方法。
【請求項５】
請求項４において、前記要求ステップにおいて、前記データの出力の代行を要求してからの時間が所定時間経過するまでの間に前記第１のコンピュータ端末からの応答が得られなかった場合、前記第２のコンピュータ端末とは異なるコンピュータ端末に対して前記データの出力の代行を要求する処理を実行することを特徴とするコンピュータ端末の制御方法。
【請求項６】
請求項４または請求項５において、出力元のコンピュータ端末に対して応答するために、前記データは、出力元のコンピュータ端末を示すデータを含むことを特徴とするコンピュータ端末の制御方法。
【請求項７】
ネットワークを介してデータの授受を行なうコンピュータ端末の動作処理を実行させるプログラムを記憶した記憶媒体において、
任意のデータをネットワーク上の第１のコンピュータ端末に対して出力させ、
前記出力手段によって出力されたデータに対する応答が前記第１のコンピュータ端末から得られなかった場合、第２のコンピュータ端末に対して前記データの出力の代行を要求させるプログラムを記憶した記憶媒体。
【請求項８】
請求項７において、さらに、データの出力の代行を要求させてからの時間を計時させ、
計時された時間が所定時間が経過するまでの間に前記第１のコンピュータ端末からの応答が得られなかった場合、前記第２のコンピュータ端末とは異なるコンピュータ端末に対して前記データの出力の代行を要求させるプログラムを記憶した記憶媒体。
【請求項９】
請求項７または請求項８において、出力元のコンピュータ端末に対して応答するために、前記データは、出力元のコンピュータ端末を示すデータを含むことを特徴とするプログラムを記憶した記憶媒体。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】変更
【補正の内容】
【００３０】
【課題を解決するための手段】
本願発明によれば、ネットワークを介してデータの授受を行なうコンピュータ端末において、任意のデータをネットワーク上の第１のコンピュータ端末に対して出力する出力手段と、前記出力手段によって出力されたデータに対する応答が前記第１のコンピュータ端末から得られなかった場合、第２のコンピュータ端末に対して前記データの出力の代行を要求する要求手段とを備えることを特徴とする。
【手続補正２７】
【補正対象書類名】明細書
【補正対象項目名】００３１
【補正方法】削除
【補正の内容】
【手続補正２８】
【補正対象書類名】明細書
【補正対象項目名】００３２
【補正方法】削除
【補正の内容】
【手続補正２９】
【補正対象書類名】明細書
【補正対象項目名】００３３
【補正方法】削除
【補正の内容】
【手続補正３０】
【補正対象書類名】明細書
【補正対象項目名】００３４
【補正方法】削除
【補正の内容】
【手続補正３１】
【補正対象書類名】明細書
【補正対象項目名】００３５
【補正方法】削除
【補正の内容】
【手続補正３２】
【補正対象書類名】明細書
【補正対象項目名】００３６
【補正方法】削除
【補正の内容】
【手続補正３３】
【補正対象書類名】明細書
【補正対象項目名】００３７
【補正方法】変更
【補正の内容】
【００３７】
また、ネットワークを介してデータの授受を行なうコンピュータ端末の制御方法において、任意のデータをネットワーク上の第１のコンピュータ端末に対して出力する出力ステップと、前記出力ステップにおいて出力されたデータに対する応答が前記第２のコンピュータ端末から得られなかった場合、第２のコンピュータ端末に対して前記データの出力の代行を要求する要求ステップとを有することを特徴とする。
【手続補正３４】
【補正対象書類名】明細書
【補正対象項目名】００３８
【補正方法】削除
【補正の内容】
【手続補正３５】
【補正対象書類名】明細書
【補正対象項目名】００３９
【補正方法】削除
【補正の内容】
【手続補正３６】
【補正対象書類名】明細書
【補正対象項目名】００４０
【補正方法】削除
【補正の内容】
【手続補正３７】
【補正対象書類名】明細書
【補正対象項目名】００４１
【補正方法】削除
【補正の内容】
【手続補正３８】
【補正対象書類名】明細書
【補正対象項目名】００４２
【補正方法】削除
【補正の内容】
【手続補正３９】
【補正対象書類名】明細書
【補正対象項目名】００４３
【補正方法】変更
【補正の内容】
【００４３】
また、ネットワークを介してデータの授受を行なうコンピュータ端末の動作処理を実行させるプログラムを記憶した記憶媒体において、任意のデータをネットワーク上の第１のコンピュータ端末に対して出力させ、前記出力手段によって出力されたデータに対する応答が前記第１のコンピュータ端末から得られなかった場合、第２のコンピュータ端末に対して前記データの出力の代行を要求させるプログラムを特徴とする。
【手続補正４０】
【補正対象書類名】明細書
【補正対象項目名】００４４
【補正方法】削除
【補正の内容】
【手続補正４１】
【補正対象書類名】明細書
【補正対象項目名】００４５
【補正方法】削除
【補正の内容】